(57)【要約】【課題】  １）スチール製ブックエンドの底板１ｂに、サイズの異なる穴や開口を設け、その穴を利用して、滑り止め機能を持たせること。２）そのブックエンドの垂直板１ａにも複数の穴を設けることで、多目的に利用できるようにすること。【解決手段】  １）ブックエンドの底板１ｂに設けた穴２と穴４に円板状磁石、ゴム板やゴムブッシグ等を嵌め込みテープで上から付着させることに加え、Ｉ型開口５に通常のゴムバンドや平ゴムバンドを嵌め込むことで滑り止め機能を持たせた。２）底板１ｂに設けた穴３または穴４に吸着盤を嵌め込んで、滑らかな壁に吸着させれば、飾り棚となる。垂直部１ａにペーパーファスナーを縦横自在に差し込める間隔で穴３を設けたので、見出し標識板の保持や、上部空間を利用出来るものとした。【選択図】図１
0003141056.tif 000002
【実用新案登録請求の範囲】
【請求項１】
底板に円板状の磁石を嵌めこむ為に、適切なサイズの穴を適切な位置に三箇所設けたことを特徴とするスチール製ブックエンド。
【請求項２】
請求工項１に加え、底板に滑り止めゴム板やゴムブッシングを嵌め込む為に、適切なサイズの穴を適切な位置に四箇所設けたことを特徴とするスチール製ブックエンド。
【請求項３】
請求項１、２、に加え、底板にゴムバンドや平ゴムバンドを嵌め込む為に、Ｉ型開口を適切な位置に二箇所設けたことを特徴とするスチール製のブックエンド。
【請求項４】
請求項３に加え、Ｉ型開口部に切り込みを二箇所設けたことを特徴とするスチール製のブックエンド。
【請求項５】
請求項１、２、３に加え、底板と垂直板にペーパーファスナーを差し込めるサイズの穴を２ｃｍ、４ｃｍ、８ｃｍの間隔で配置し、適切な数の穴を設けたことを特徴とするスチール製のブックエンド。
【請求項６】
垂直板の開口部内側横部に丸みを持たせたことを特徴するスチール製ブックエンド。
【考案の詳細な説明】
【技術分野】
【０００１】  本考案の内容は、滑り止め機能に加え、多用途に使用出来るスチール製ブックエンドに関するものである。
【背景技術】
【０００２】  通常のスチール製ブックエンドは、立て掛ける本やファイル等が少ない場合、滑り易く、それらの本やファイル等を整理し難いと言う難点があった。【０００３】  その為、従来のブックエンドの滑り止めの方法として、ゴムパットを底板に付着させる方法、二つのブックエンドの底板を咬み合わせる方法、連結補助具を使う方法や磁石を利用する方法等が採用されている。
【特許文献１】特許公開  平６−１１５
【特許文献２】特許公開  ２００４−１６３８０
【特許文献３】特許公開  ２００５−６９０９
【特許文献４】特許公開  平５−３１０１２
【特許文献５】実用新案公開  平５−６３３４２
【特許文献６】実用新案公開  平７−２５８４４
【０００４】  また、従来のブックエンドは本やファイル等の転倒防止方法として、底板を折り曲げ加工したのもなどが採用されている。
【特許文献７】登録実用新案  第３１１９８５８
【特許文献８】特許公開  ２００６−２９６８４９
【０００５】  二つのブックエンドを利用して、本やファイル等を立てた上部空間を有効利用しようとしたものなどもある。
【特許文献９】特許公開  ２００１−３４６６３８
【考案の開示】
【考案が解決しようとする課題】
【０００６】  滑り止めを防止する方法として、市場で容易に入手できる材料を利用して、スチール製ブックエンドの底板に、適切なサイズの丸い穴を、適切な数だけ、適切な位置に設けることで解決すること。【０００７】  更に滑り止めを防止する方法として、市場で容易に入手出来るゴムバンドや平ゴムバンド等を利用して、スチール製ブックエンドの底板に、適切な数だけ、適切な位置に適せつな形状の開口を設けることで解決すること。【０００８】  通常のスチール製ブックエンドに、適切なサイズの丸い穴を、適切な位置に、適切な間隔で、適切な数の穴を底板と垂直板とに設けることで多機能なものとすること。
【課題を解決しようとするための手段】
【０００９】  図１２に示すように、スチール製ブックエンドの底板１ｂに設けた三箇所の穴２に円板状の磁石６ａを嵌めこみ、接着テープ７で押さえることで、スチール製の棚の上に置いて使用する場合、磁力によりしっかりとした滑り止めとなる。
【００１０】  図１２に示すように、底板１ｂに設けた穴２より少し小さい三箇所の穴４に円板状ゴム６ｂを嵌めこみ、接着テープ７で押さえることでも簡単に滑り止めとなる。
【００１１】  図１２に示すように、底板１ｂに設けたＩ型開口５に平ゴムバンド６ｆや通常のゴムバンド６ｅを嵌め込むことで、簡単に滑り止めとなる。
【００１２】  図１２に示すように、底板１ｂに設けた穴３の間隔は４ｃｍ又は８ｃｍを基準に配置されているので、ペーパーファスナー８を穴３に差込み、ブックエンドを連結することも出来る。
【００１３】  図１２に示すように、転倒防止金物１０をペーパーファスナー８の下に挿入すれば、本やファイル等の転倒防止に役立てられる。
【００１４】  図１３に示すように、スチール製ブックエンドの垂直板１ａに、穴３の穴間隔は、ペーパーファスナー８の標準穴間隔は８ｃｍとなっているので、４ｃｍ又は８ｃｍ間隔で穴３を配置し、ペーパーファスナー８を挿入出来るようにした。
【００１５】  図１４に示すように、飾り棚に利用する場合、図８の様に吸着盤６ｄを、三箇所の穴４に差込み、花瓶など丸みのある容器１４を安定して置けるように、垂直板１ａの開口内側横１１に丸味を持たせたものとした。
【考案の効果】
【００１６】  スチール製ブックエンドの底板に各種の穴を設けので、円板磁石、ゴム、シリコーンゴム、ゴムブッシング、平ゴムバンド、画鋲、等市場で容易に入手できる各種の材料を嵌め込み、接着テープで押さえるだけで簡単に、滑り止め機能を出すことが出来るようになった。
【００１７】  図１３に示すように、市販の格安なペーパーファスナー８を穴３に差し込むだけで、連結機能や見出し標識板１３の挿入が出来るようになり、本やファイル等を有効に分類・保管・管理できる。
【００１８】  図１７に示すように、スチール製ブックエンドの底板１ｂに各種の穴に紐を縫って通し、二つのブックエンドを紐で繋げることで、Ｉ型開口５の切込み部分５１を紐の滑り止めに利用して、そのブックエンドの距離を固定させることも出来る。
【００１９】    図１４、図１５に示すように、底板１ｂの穴４に市販されている吸着盤６ｄを嵌めこみ、ガラスの等壁に吸着させれば、飾り棚やチラシ受け等にもなる。図１４に示すように、１ａの１１の部分に丸みを持たせたので、花瓶などを安定して、置くことができる。
【００２０】  図１６に示すように、スライドロック付ペーパーファスナー９で、ブックエンドを組み合わせ、上部に板１６を乗せると簡単に上部空間を利用できるものとなる。
【００２１】  飾り棚に利用の場合、各種の色のペーパーファスナー８が市販されているので、個人の好みに応じて穴３に差し込んでデザインできる。
【００２２】  スチール製ブックエンドの板の厚みは従来のものと同じものが使用出来、穴を打ち抜く為、ブックエンドの重さも従来のものより軽くなり、素材の省資源化に役立つ。
【考案を実施するための最良の形態】
【００２３】  図２の例の示す様に、底板１ｂに直径１８ｍｍ〜２３ｍｍ程度の磁石を嵌め込む為に穴２を三箇所程度設けた。底板１ｂに円板状のゴム板や又は吸着盤嵌め込む為に、直径９ｍｍ〜１２ｍｍ程度の穴４を四箇所程度設けた。底板１ｂにペーパーファスナー８差込む為に、直径６ｍｍ程度の穴３をその穴間隔を８ｃｍ又はその半分の４ｃｍ間隔で七箇所程度設けた。【００２４】  図２の例の示す様に、底板１ｂに、二つのブックエンドの横ズレ防止の為に、噛み合わせ凹・凸、１２ｂ・１２ａを設けたものとした。【００２５】  図２の例の示す様に、滑り止め用にゴムバンド、や平ゴムバンドを利用出来るように、底板１ｂにＩ型開口５を二箇所設けたものとした。【００２６】  図２の例の示す様に、底板１ｂにＩ型開口５の部分に紐滑り止め切込み５１を２箇所設けたものとした。【００２７】    図３の例の様にスチール製ブックエンドの垂直板１ａに直径６ｍｍ程度の穴３を、縦横８ｃｍ及び４ｃｍ間隔で設けることで、図９に示す安価なペーパーフスナー８を自由に差し込めるものとした。穴の数はブックエンドエンドの大きさにより変更する。
【実施例】
【００２８】    図１２、１３、１４、１５、１６、１７にその実施例を示す。
【産業上の利用可能性】
【００２９】  家庭での通常の本立てとしての利用の他に図書館や事務所に於いて、大量の書籍を整理・保管するのに大変有効である。
【図面の簡単な説明】
【００３０】
【図１】本考案のブックエンドの全体図面
【図２】ブックエンドの底板の加工形状や穴や開口の配置例の図面
【図３】ブックエンドの垂直板の穴３の配置例と加工例を示す図面
【図４】ブックエンドの断面図例
【図５】ブックエンドの底板１ｂの穴２に円板状磁石６ａを嵌め込み、接着テープ７で押さえたところの断面図
【図６】ブックエンドの底板１ｂの穴４にゴム６ｂ等を嵌め込み、接着テープ７で押さえたところの断面図
【図７】ブックエンドの底板１ｂの穴４にゴムブッシング６ｃ等を嵌め込んだ断面図
【図８】ブックエンドの底板１ｂの穴４に吸着盤６ｄを嵌め込んだところの断面図
【図９】通常のペーパーファスナー８の平面図と側面図
【図１０】通常のスライド押さえつきペーパーファスナー９とその部品図面
【図１１】本やファイルの転倒防止やチラシ受けすべり止めなどに利用できる金物１０の図面
【図１２】ブックエンドの底板１ｂの穴を利用して、各種の滑り止めや連結した場合の図面
【図１３】ブックエンドの垂直板１ａの穴３を利用した例の図面
【図１４】吸着盤を使用し、飾り棚として利用した例の図面
【図１５】吸着盤を使用し、チラシ受けとして利用した例の図面
【図１６】２組のブックエンドを利用して、垂直に連結して、上部空間を利用出来るようにした場合の図面
【図１７】ブックエンドの底板１ｂの各種の穴や開口に紐を縫って通した場合の図面
【符号の説明】
【００３１】  １ａ．スチール製ブックエンド垂直部分
１ｂ．スチール製ブックエンド底板部分
２．底板に開けた穴
３．底板と垂直面に開けた穴
４．底板に開けた穴２より少し小さい穴
５．ゴムバンドなど利用の場合のＩ型開口部
５１．Ｉ型開口部に設けた切込み
６ａ．円盤状磁石
６ｂ．円盤状滑り止めゴム
６ｃ．ゴムブッシング
６ｄ．吸着盤
７．片面接着テープ
８．ペーパーフスナー
９．スライド押さえ付ペーパーファスナー
９１ａ．ペーパーフスナー部品
９１ｂ．ペーパーフスナー受け止め部品
９１ｃ．ペーパーフスナー部品スライド押さえ
１０．滑り止め金物
１１．垂直板開口部内側横の丸味
１２ａ．底板嵌め込み凸部
１２ｂ．底板嵌め込み凹部
１３．本立て見出し標識板
１４．花瓶等
１５．チラシ受け板
１６．上部空間利用の為の板
１７．紐
【図１】
0003141056.tif 000003
【図２】
0003141056.tif 000004
【図３】
0003141056.tif 000005
【図４】
0003141056.tif 000006
【図５】
0003141056.tif 000007
【図６】
0003141056.tif 000008
【図７】
0003141056.tif 000009
【図８】
0003141056.tif 000010
【図９】
0003141056.tif 000011
【図１０】
0003141056.tif 000012
【図１１】
0003141056.tif 000013
【図１２】
0003141056.tif 000014
【図１３】
0003141056.tif 000015
【図１４】
0003141056.tif 000016
【図１５】
0003141056.tif 000017
【図１６】
0003141056.tif 000018
【図１７】
0003141056.tif 000019
【手続補正書】
【提出日】平成20年2月12日(2008.2.12)
【手続補正１】
【補正対象書類名】実用新案登録請求の範囲
【補正対象項目名】全文
【補正方法】変更
【補正の内容】
【実用新案登録請求の範囲】
【請求項１】
底板と垂直板とからなるスチール製ブックエンドにおいて、前記底板が、円板状の磁石を嵌めこむ為の穴であって、適切なサイズの穴を適切な数だけ適切な位置に三箇所備えたことを特徴とするスチール製ブックエンド。
【請求項２】
前記底板が、さらに、滑り止めゴム板、ゴムブッシングまたは吸着盤を嵌めこむ為の穴であって、適切なサイズの穴を適切な数だけ適切な位置に四箇所備えたことを特徴とする請求項１に記載のスチール製ブックエンド。
【請求項３】
前記底板が、さらに、ゴムバンドまたは平ゴムバンドを嵌めこむ為の開口であって、Ｉ型開口を二箇所適切な位置に備えたことを特徴とする請求項１または２に記載のスチール製のブックエンド。
【請求項４】
前記Ｉ型開口部が、切り込みを二箇所備えたことを特徴とする請求項３に記載のスチール製のブックエンド。
【請求項５】
前記底板および前記垂直板が、ペーパーファスナーを差し込める穴であって、適切なサイズの穴を適切な間隔で適切な数だけ適切な位置に備えたことを特徴とする請求項１ないし３のいずれか一項に記載のスチール製のブックエンド。  
【請求項６】
前記垂直板が、丸味を持たせた開口部内側横部を備えたことを特徴とする請求項１ないし５のいずれか一項に記載のスチール製ブックエンド。
【手続補正２】
【補正対象書類名】明細書
【補正対象項目名】全文
【補正方法】変更
【補正の内容】
【考案の詳細な説明】
【技術分野】
【０００１】
本考案の内容は、滑り止め機能や飾り棚機能に加え、多用途に使用出来るスチール製ブックエンドに関するものである。
【背景技術】
【０００２】
通常のスチール製ブックエンドは、立て掛ける本やファイル等が少ない場合、滑り易く、それらを整理し難いと言う難点があった。
【０００３】
その為、従来のブックエンドの滑り止めの方法として、ゴムパットを底板に付着させる方法、二つのブックエンドの底板を咬み合わせる方法、連結補助具を使う方法や磁石を利用する方法等が採用されている。
【特許文献−１】特許公開  平６−１１５
【特許文献−２】特許公開  ２００４−１６３８０
【特許文献−３】特許公開  ２００５−６９０９
【特許文献−４】特許公開  平５−３１０１２
【特許文献−５】実用新案公開  平５−６３３４２
【特許文献−６】実用新案公開  平７−２５８４４
【０００４】
また、従来のブックエンドは、本やファイル等の転倒防止方法として、底板を折り曲げ加工したものなどが採用されている。
【特許文献−７】登録実用新案  第３１１９８５８
【特許文献−８】特許公開  ２００６−２９６８４９
【０００５】
二つのブックエンドを利用して、本やファイル等を立てた上部空間を有効利用しようとしたものなどもある。
【特許文献−９】特許公開  ２００１−３４６６３８
【考案の開示】
【考案が解決しようとする課題】
【０００６】
本考案の課題は、ブックエンドの滑り止めを防止する方法として、市場で容易に入手できる材料を利用して、スチール製ブックエンドの底板に、適切なサイズの丸い穴を、適切な数だけ、適切な位置に設けることで解決することにある。
【０００７】
また、本考案の課題は、ブックエンドの滑り止めを防止する方法として、市場で容易に入手出来るゴムバンドや平ゴムバンド等を利用して、スチール製ブックエンドの底板に適切な数だけ、適切な位置に、適切な形状の開口を設けることで解決することにある。
【０００８】
さらに、本考案の課題は、通常のスチール製ブックエンドに、適切なサイズの丸い穴を、適切な位置に、適切な間隔で、適切な数の穴を底板と垂直板とに設けることで多機能なものとすることにある。
【課題を解決するための手段】
【０００９】
図１２に示すように、スチール製ブックエンドの底板１ｂに設けた三箇所の穴２に円板状の磁石６ａを嵌めこみ、接着テープ７で押さえることにより作製されたスチール製ブックエンドをスチール製の棚の上に置いて使用する場合、磁力によりしっかりとした滑り止めとなる。
【００１０】
図１２に示すように、底板１ｂに設けた穴２より少し小さい三箇所の穴４に円板状ゴム6bを嵌めこみ、接着テープ７で押さえることでも簡単に滑り止めとなる。
【００１１】
図１２に示すように、底板１ｂに設けたI型開口５に平ゴムバンド６ｆや通常のゴムバンド６ｅを嵌め込むことで、簡単に滑り止めとなる。
【００１２】
図１２に示すように、底板１ｂに設けた穴３の間隔は４cm又は８cmを基準に配置されているので、ペーパーファスナー８を穴３に差込み、ブックエンドを連結することも出来る。
【００１３】
図１２に示すように、転倒防止金物１０をペーパーファスナー８の下に挿入すれば、本やファイル等の転倒防止に役立てられる。
【００１４】
図１３に示すように、スチール製ブックエンドの垂直板１ａに、穴３の穴間隔は、ペーパーファスナー８の標準穴間隔が８cmとなっているので、４cm又は８cm間隔で配置し、ペーパーファスナー８を挿入出来るようにした。
【００１５】
図１４に示すように、飾り棚に利用する場合、図８の様に吸着盤６ｄを、三箇所の穴４に差込み、花瓶など丸みのある容器１４を安定して置けるように、垂直板１ａの開口内側横１１に丸味を持たせたものとした。
【考案の効果】
【００１６】
本考案によれば、スチール製ブックエンドの底板に各種の穴を設けたので、円板磁石、ゴム、シリコーンゴム、ゴムブッシング、平ゴムバンド、画鋲等、市場で容易に入手できる各種の材料を嵌め込み、接着テープで押さえるだけで簡単に滑り止め機能を出すことが出来るようになった。
【００１７】
図１３に示すように、市販の格安なペーパーファスナー８を穴３に差し込むだけで、連結機能や見出し標識板１３の挿入が出来るようになり、本やファイル等を有効に分類・保管・管理することができる。
【００１８】
図１７に示すように、スチール製ブックエンドの底板１ｂに各種の穴に紐を縫って通し、二つのブックエンドを紐で繋げることで、Ｉ型開口５の切込み部分５１を紐の滑り止めに利用して、そのブックエンドの距離を固定させることも出来る。
【００１９】
図１４、図１５に示すように、底板１ｂの穴４に市販されている吸着盤６ｄを嵌めこみ、ガラス等の壁に吸着させれば、飾り棚やチラシ受け等にもなる。図１４に示すように、垂直板１ａの開口部内側横に丸味１１を持たせたので、花瓶などを安定して置くことができる。
【００２０】
図１６に示すように、スライドロック付ペーパーファスナー９で、ブックエンドを組み合わせ、上部に板１６を乗せると簡単に上部空間を利用できるものとなる。
【００２１】
飾り棚に利用の場合、各種の色のペーパーファスナー８が市販されているので、個人の好みに応じて穴３に差し込んでデザインできる。
【００２２】
スチール製ブックエンドの板の厚みは従来のものと同じものが使用出来、穴を打ち抜く為、ブックエンドの重さも従来のものより軽くなり、素材の省資源化に役立つ。
【考案を実施するための最良の形態】
【００２３】
図２の例の示す様に、底板１ｂに直径18mm〜23mm程度の磁石を嵌め込む為に穴２を三箇所程度設けた。底板１ｂに円板状のゴム板や又は吸着盤を嵌め込む為に、直径９mm〜１２mm程度の穴を三箇所〜四箇所に設けた。底板１ｂにペーパーファスナー８を差込む為に、直径6mm程度の穴３を穴間隔を8cm又はその半分の４cm間隔で七箇所程度設けた。
【００２４】
図２の例の示す様に、二つのブックエンドの横ズレ防止の為、噛み合わせ凹・凸、１２ｂ・１２ａを設けたものとした。
【００２５】
図２の例の示す様に、滑り止め用にゴムバンドや平ゴムバンドを利用出来るように、底板１ｂにI型開口５を二箇所設けたものとした。
【００２６】
図２の例の示す様に、底板１ｂにI型開口５の部分に紐滑り止め切込み５１を二箇所設けたものとした。
【００２７】
図３の例の様にスチール製ブックエンドの垂直板１ａに直径6mm程度の穴３を、縦横８cm及び４cm間隔で設けることで、図９に示す安価なペーパーファスナー８を自由に差し込めるものとした。穴の数はブックエンドの大きさにより変更する。
【実施例】
【００２８】
図１２、１３、１４、１５、１６、１７に本考案の実施例を示す。
【産業上の利用可能性】
【００２９】
本考案に係るスチール製ブックエンドは、家庭での通常の本立てとしての利用の他に図書館や事務所に於いて、大量の書籍を整理・保管するのに大変有効である。
【図面の簡単な説明】
【００３０】
【図１】本考案に係るブックエンドの全体図面である。
【図２】本考案に係るブックエンドの底板の加工形状や穴や開口の配置例を示す図面である。
【図３】本考案に係るブックエンドの垂直板の穴３の配置例と加工例を示す図面である。
【図４】本考案に係るブックエンドの断面を例示した図面である。
【図５】本考案に係るブックエンドの底板の穴２に円板状磁石６ａを嵌め込み、接着テープ７で押さえた形態を示す断面図である。
【図６】本考案に係るブックエンドの底板の穴４にゴム６ｂ等を嵌め込み、接着テープ７で押さえた形態を示す断面図である。
【図７】本考案に係るブックエンドの底板の穴４にゴムブッシング６ｃ等を嵌め込んだ形態を示す断面図である。
【図８】本考案に係るブックエンドの底板の穴４に吸着盤６ｄを嵌め込んだ形態を示す断面図である。
【図９】通常のプラスチック製ペーパーファスナー８の平面図と側面図である。
【図１０】通常のスライド押さえ付ペーパーファスナー９と部品の図面である。
【図１１】本およびファイルの転倒防止ならびにチラシ受けすべり止めなどに利用できる金物１０の斜視図である。
【図１２】本考案に係るブックエンドの底板の穴を利用して、各種の滑り止めや連結した形態を示す図面である。
【図１３】本考案に係るブックエンドの垂直板の穴３の利用例を示す図面である。
【図１４】本考案に係るブックエンドを飾り棚として利用した例を示す図面である。
【図１５】本考案に係るブックエンドをチラシ受けとして利用した例を示す図面である。
【図１６】本考案に係る二組のブックエンドを利用して、垂直に連結して、上部空間利用出来るようにした形態を示す図面である。
【図１７】本考案に係るブックエンドの底板の各種の穴や開口に紐を縫って通した形態を示す図面である。
【符号の説明】
【００３１】
１．スチール製ブックエンド
１a.  垂直板
１b.  底板
２．底板に開けた穴
３．底板と垂直板に開けた穴
４．底板に開けた穴２より少し小さい穴
５．ゴムバンドなど利用の場合のI型開口部
51.  I型開口部に設けた切込み
6a.  円盤状磁石  
6b.  円盤状滑り止めゴム
6c.  ゴムブッシング  
6d.  吸着盤
７．片面接着テープ
８．ペーパーファスナー
９．スライド押さえ付ペーパーファスナー
91a.  ペーパーファスナー部品
91b.  ペーパーファスナー受け止め部品
91c.  ペーパーファスナー部品スライド押さえ
10.  滑り止め金物
11.  垂直板開口部内側横の丸味
12a.  底板嵌め込み凸部
12b.  底板嵌め込み凹部
13.  本立て見出し標識板
14.  花瓶等
15.  チラシ受け板
16.  上部空間利用の為の板
17.  紐
【手続補正３】
【補正対象書類名】図面
【補正対象項目名】図１
【補正方法】変更
【補正の内容】
【図１】
0003141056.tif 000020